(57)【要約】【課題】  先端掛けやＵ字掛けを確実に防止することができ、十分な強度を有するだけでなく、操作がし易く、安価に提供することができる胴ベルト型安全帯を提供する。【解決手段】  着用者の胴体に巻き付けて装着するベルトと、該ベルトに取り付けた環部材と、該環部材に接続したロープと、該ロープの先端に取り付けると共に、親綱その他の取付設備等に掛けるフックから構成される安全帯において、上記フックのＵ字状掛止部を、その先端部から弧状頂部までほぼ同じ幅で、しかも、該幅を上記環部材の穴の径より大きくする。【選択図】図２
2006198008.tif 000002
【特許請求の範囲】
【請求項１】
着用者の胴体に巻き付けて装着するベルトと、該ベルトに取り付けた環部材と、該環部材に接続したロープと、該ロープの先端に取り付けると共に、親綱その他の取付設備等に掛けるフックから構成される安全帯において、上記フックのＵ字状掛止部を、その先端部から弧状頂部までほぼ同じ幅で、しかも、該幅を上記環部材の穴の径より大きくしたことを特徴とする胴ベルト型安全帯。
【請求項２】
着用者の胴体に巻き付けて装着するベルトと、該ベルトに取り付けた環部材と、該環部材に接続したロープと、該ロープの先端に取り付けると共に、親綱その他の取付設備等に掛けるフックから構成される安全帯において、上記環部材の穴を、ロープ取付用穴と垂直親綱用穴と工具ホルダー用穴の３つ設け、しかも、フックの先端部が入らない大きさの穴としたことを特徴とする胴ベルト型安全帯。
【請求項３】
上記３つの穴を環部材の左右に振り分けて設けたことを特徴とする請求項２に記載の胴ベルト型安全帯。
【請求項４】
上記の左右に振り分けた３つの穴それぞれに角度を持たせたことを特徴とする請求項３に記載の胴ベルト型安全帯。
【請求項５】
着用者の胴体に巻き付けて装着するベルトと、該ベルトに取り付けた環部材と、該環部材に接続したロープと、該ロープの先端に取り付けると共に、親綱その他の取付設備等に掛けるフックから構成される安全帯において、上記フックの解放部の寸法を、単管パイプを通過させる時に、指の太さ以上を加算して、大きくしたことを特徴とする胴ベルト型安全帯。
【請求項６】
着用者の胴体に巻き付けて装着するベルトと、該ベルトに取り付けた環部材と、該環部材に接続したロープと、該ロープの先端に取り付けると共に、親綱その他の取付設備等に掛けるフックから構成される安全帯において、フックＵ字状掛止部の弧状頂部に膨らみを形成したことを特徴とする胴ベルト型安全帯。
【発明の詳細な説明】
【技術分野】
【０００１】
本発明は、胴ベルト型安全帯に関するものである。
【背景技術】
【０００２】
従来の胴ベルト型安全帯としては、例えば、図５に示すように、着用者（図示せず）の胴体に巻き付けて装着するベルトＢと、該ベルトＢに取り付けたＤ環Ｋと、該Ｄ環Ｋに接続したロープＲと、該ロープＲの先端に取り付けると共に、親綱その他の取付設備等に掛けるフックＨから、主として構成されていた。
【０００３】
しかしながら、上記従来の胴ベルト型安全帯の特にフックＨは、軽量化を優先しているため先端を尖らせており、そのため、掛止強度が十分でない先端掛けができてしまう構造となっていた。
また、着用者に先端掛禁止の注意を喚起するために、フック本体にステッカーを貼り付けていた。そのため、フック製作時に、ステッカーを用意する作業や、貼る作業などのコストがかかっていた。さらに、ステッカーの貼り付け位置が不正確であったり、貼った時にゴミが挟まるなどによる不良品が発生する等の問題点もあった。
【０００４】
また従来、フックの先端が尖っているため、二丁掛け安全帯の場合、特殊な構造の環部材を使用しても、厚生労働省「安全帯の規格」で禁止しているＵ字掛けを防止することが困難であった。
【０００５】
一方、従来のＵ字掛け防止環は、穴が１つしかなく、垂直親綱等のフックを掛ける場所が無いため、梯子等の上がり下がりの際、安全対策を講ずることができず危険であった。また、高所からの工具の落下を防ぐための工具ホルダー等の取り付けも出来なかったため、落とした工具が下方にいる作業者に当たってしまう二次災害の危険性もあった。
【０００６】
さらに従来のフックでは、図６に示すように、単管パイプＰに掛ける時に、開閉杆Ｊを握って操作すると、単管パイプが通過できなかった。
【０００７】
従来のフックでは親綱にフックを掛ける時、まずカラビナを親綱に掛け、その後フックをカラビナに掛けて使っていた。直接フックを親綱に掛けると、フックは肉厚が薄いため、親綱として使われる三打ちロープの撚ってあるストランドの谷間に入ってしまい、移動しづらく扱いにくかった。また、過度な摩擦によって親綱の寿命も短くしていた。
【０００８】
上記フックのＵ字掛けを防止するために、従来、フックの先端を膨出した突出部として、フック嵌合穴に嵌合できない形状とするものがあった。（特許文献１）
【０００９】
しかしながら、上記特許文献１の従来技術は、フックの先端を膨出した突出部としているだけで、先端からフックＵ字状掛止部の弧状頂部までの形状は従来品と同一であった。従って、この部分の構造強度も従来品と同一であった。また、小さい穴にフックを掛けた場合、フックの先端が膨出した突出部ではフックを外す時に先端を引っ掛けやすかった。また、環部材の側では穴が１つしかなかったため、上記段落番号０００５に記載の問題点を解決するためには複数装着しなければならず、そのため改めて注文する手間が発生し、さらに装着した場合は、胴ベルトの道具袋を吊すスペースが少なくなるという新たな問題も発生しており、上記段落番号０００５に記載の問題点は依然として解消されない等の問題点があった。
【特許文献１】実用新案登録第３０３６１４３号公報
【発明の開示】
【発明が解決しようとする課題】
【００１０】
本発明が解決しようとする課題は、上記従来の問題点を解決することができ、先端掛けやＵ字掛けを確実に防止することができ、十分な強度を有するだけでなく、操作がし易く、安価に提供することができる胴ベルト型安全帯を提供することにある。
【課題を解決するための手段】
【００１１】
本発明は、着用者の胴体に巻き付けて装着するベルトと、該ベルトに取り付けた環部材と、該環部材に接続したロープと、該ロープの先端に取り付けると共に、親綱その他の取付設備等に掛けるフックから構成される安全帯において、上記フックのＵ字状掛止部を、その先端部から弧状頂部までほぼ同じ幅で、しかも、該幅を上記環部材の穴の径より大きくしたことを特徴とする。また、着用者の胴体に巻き付けて装着するベルトと、該ベルトに取り付けた環部材と、該環部材に接続したロープと、該ロープの先端に取り付けると共に、親綱その他の取付設備等に掛けるフックから構成される安全帯において、上記環部材の穴を、ロープ取付用穴と垂直親綱用穴と工具ホルダー用穴の３つ設け、しかも、フックの先端部が入らない大きさの穴としたことを特徴とする、上記３つの穴を環部材の左右に振り分けて設けたことを特徴とする。さらに、上記の左右に振り分けた３つの穴それぞれに角度を持たせたことを特徴とする。又さらに、着用者の胴体に巻き付けて装着するベルトと、該ベルトに取り付けた環部材と、該環部材に接続したロープと、該ロープの先端に取り付けると共に、親綱その他の取付設備等に掛けるフックから構成される安全帯において、上記フックの解放部の寸法を、単管パイプを通過させる時に、指の太さ以上を加算して、大きくしたことを特徴とする。更に又、着用者の胴体に巻き付けて装着するベルトと、該ベルトに取り付けた環部材と、該環部材に接続したロープと、該ロープの先端に取り付けると共に、親綱その他の取付設備等に掛けるフックから構成される安全帯において、フックＵ字状掛止部の弧状頂部に膨らみを形成したことを特徴とする。
【発明の効果】
【００１２】
本発明の胴ベルト型安全帯は、下記のような利点がある。
１）フックのＵ字状掛止部は、その先端部から弧状頂部までほぼ同じ幅で、しかも、該幅は、ロープを介して該フックをベルトに繋ぎ止める環部材の穴の径より大きくなっているため、誤使用による環部材の穴への先端掛けやＵ字掛けが防止でき、逆に、先端部が通過できる穴であれば、掛止強度の大きい弧状頂部まで移動することができるため、掛止強度が十分でない先端掛けの状態にはならない。
２）Ｕ字状掛止部の先端部から弧状頂部までほぼ同じ幅であるため、フック先端部の構造強度を従来のフックよりも確保できる。
３）従来のステッカー不良の発生防止やステッカー及びステッカー張り作業のコストダウンができる。
４）環部材の穴を、ロープ取付用穴と垂直親綱用穴と工具ホルダー用穴の３つ設け、しかも、フックの先端部が入らない大きさの穴としたので、梯子等の上り下りをする際に、垂直親綱等のフックを掛けることができて、着用者の安全を確保することができるだけでなく、工具ホルダー等の工具落下防止策がとれるようになり、二次災害も防止できる。さらに、上記先端掛け防止フックと併用することにより、厚生労働省の定める「安全帯の規格」で禁止されているＵ字掛けが出来ない構造を維持できるため、着用者の誤使用による危険を回避できる。
５）上記環部材の左右に振り分けた３つの穴にそれぞれ角度を持たせることにより、フックその他の取付取り外しを容易に行う事が出来、作業がスピーディーになるとともに、落下時、フックその他が人体を圧迫する危険性がなくなる。
６）フックＵ字状掛止部の弧状頂部にカラビナと同等の膨らみ（幅１０ｍｍ以上でＲ４以上）を形成したことにより、カラビナを使わなくてもカラビナを使っているのと同等の効果を発揮する事が出来る。これによって工具の減少、親綱の寿命を延ばす事が出来、作業コストを下げる事が出来る。
フック弧状頂部に膨らみを作らなくとも、プラスチック成型品などで、取り外し可能なものであっても同等の事が出来る。また、ホースなどの円筒状の成型品を適切な長さに裁断し弧状頂部に取り付ける事でも同等の事が出来る。
【発明を実施するための最良の形態】
【００１３】
以下、本発明の胴ベルト型安全帯の一実施例について、図面を参照しながら説明する。
【００１４】
図１において、１はベルト、２はロープであって、図５に示す、従来の安全帯のベルトＢおよびロープＲと実質的に同じ構造および機能を有する。
【００１５】
３はフックであって、図２に拡大して示すように、基本的に、フック本体３ａと、開閉杆３ｂと、ロック杆３ｃから構成されている。
【００１６】
上記フック本体３ａは、主として、Ｕ字状掛止部３ａ−１と、握部３ａ−２と、解放部３ａ−３から構成される。上記Ｕ字状掛止部３ａ−１の一端部は上記握部３ａ−２に連続して一体的になっている。上記解放部３ａ−３は、Ｕ字状掛止部３ａ−１の先端部Ｓと上記握部３ａ−２との間の解放された空間であって、単管Ｐなどの被掛止体が通過する。
【００１７】
図示のように、単管パイプＰは、上記Ｕ字状掛止部３ａ−１の奥の弧状頂部Ｕに掛け止められる。図２（Ｂ）から明らかなように、該弧状頂部Ｕには膨らみＱが形成されている。この膨らみＱは、フック本体３ａと一体成形させて形成したり、他の部材を一体的に付設することにより形成する。
【００１８】
上記握部３ａ−２にはロープ取付穴３ｄが形成されていて、ロープ２の基端部を接続固定する（図１参照）ようになっている。
【００１９】
上記開閉杆３ｂは、その基端部が支軸３ｅにより上記握部３ａ−２に回動自在に取り付けられている。該開閉杆３ｂは、適当な弾性付勢手段（捩りバネ等：図示せず）により反時計方向（図２において）に弾性的に付勢されていて、上記解放部３ａ−３を閉じるようになっている。
【００２０】
上記ロック杆３ｃは、支軸３ｆにより上記Ｕ字状掛止部３ａ−１の端部に回動自在に取り付けられていて、これを矢印方向に外側から押すことにより、上記開閉杆３ｂとのロック状態（図２の実線状態）を解除して、該開閉杆３ｂの回動を可能としている。
【００２１】
再び図１において、４は環部材であって、ベルト１に取り付けられる。該環部材４には、図３に示すように、ベルト挿通用長穴４ａと上部丸穴４ｂと中間丸穴４ｃと下部丸穴４ｄが形成されている。
【００２２】
上記各丸穴４ｂ、４ｃ、４ｄは、いずれも同じ直径を有する。これらの丸穴４ｂ、４ｃ、４ｄへ上記フック３を誤って掛けるのを防止するために、上記フック３のＵ字状掛止部３ａ−１の先端部Ｓの幅は、各丸穴４ｂ、４ｃ、４ｄの直径より大きくなっていると共に、上記Ｕ字状掛止部３ａ−１の弧状頂部Ｕまでほぼ同じ幅の寸法になっている。従って、誤使用による環部材の穴への先端掛けやＵ字掛けが防止でき、逆に、先端部が通過できる穴であれば、掛止強度の大きい弧状頂部まで移動することができるため、掛止強度が十分でない先端掛けの状態にはならない。
【００２３】
図４は、上記部材４の上部穴４ｂを、他の２つの穴４ｃ、４ｄと振り分けて配置した別の実施例を示すものであり、図３の実施例の環部材と同じ効果を発揮させることができる。図４（Ｂ）に示すように、左右に振り分けた穴４ｂと４ｃ、４ｄには、それぞれ角度θを持たせる。
【００２４】
なお、フック３の解放部３ａ−３の寸法を、単管パイプＰを通過させる時に、指の太さ以上を加算して、大きく（６０ｍｍ以上）することにより、握ったままの自然の状態で単管パイプＰを容易に通過させて、迅速かつ容易に掛けることができる。
【図面の簡単な説明】
【００２５】
【図１】本発明の胴ベルト型安全帯の一実施例を示す説明図である。
【図２】図１のフックの説明図である。
【図３】図１の環部材の一実施例を示す説明図である。
【図４】環部材の別の実施例を示す説明図である。
【図５】従来の胴ベルト型安全帯の説明図である。
【図６】従来のフックの不都合を説明する図である。
【符号の説明】
【００２６】
１    ベルト
２    ロープ
３    フック
３ａ  フック本体
３ａ−１  Ｕ字状掛止部
３ａ−２  握部
３ａ−３  解放部
３ｂ  開閉杆
３ｃ  ロック杆
３ｄ  取付穴
３ｅ  支軸
３ｆ  支軸
４    環部材
４ａ  ベルト挿通用長穴
４ｂ  上部丸穴
４ｃ  中間丸穴
４ｄ  下部丸穴
Ｂ    ベルト
Ｈ    フック
Ｊ    開閉杆
Ｋ    Ｄ環
Ｐ    単管パイプ
Ｑ    膨らみ
Ｒ    ロープ
Ｓ    先端部
Ｕ    弧状頂部
θ    角度
【図１】
2006198008.tif 000003
【図２】
2006198008.tif 000004
【図３】
2006198008.tif 000005
【図４】
2006198008.tif 000006
【図５】
2006198008.tif 000007
【図６】
2006198008.tif 000008